【手続補正書】
【提出日】平成20年2月19日(2008.2.19)
【手続補正１】
【補正対象書類名】特許請求の範囲
【補正対象項目名】全文
【補正方法】変更
【補正の内容】
【特許請求の範囲】
【請求項１】
濃い色材から同じ色調で濃度が淡い色材を含む濃淡２種類の色材へ色分解する濃淡色材量分解画像処理方法において、
同じ色調で濃度が異なる２種類の色材それぞれの離散的な色材量がクロス状に分布されたｎ行×ｎ列のパッチを測色して得られる前記パッチの濃度値を取得する取得工程と、
前記濃度値を補間手段により補間し、ｍ行×ｍ列のセルで構成される濃度特性マップを生成する工程と、
前記パッチに対応する色材量を補間手段により補間し、ｍ行×ｍ列のセルで構成される色材量特性マップを生成する工程と、
前記濃度特性マップから目標濃度を含む等濃度ラインを探索する工程と、
前記色材量特性マップから目標とする色材使用量である目標色材使用量を含む等色材量ラインを探索する工程と、
前記濃度特性マップと前記色材量特性マップにおいて、前記等色材量ラインと前記等濃度ラインが交差するセルを検出する検出工程と、
前記検出工程において、検出されたセルに基づき、濃い色材と淡い色材の色材量の組合せを決定する決定工程と、
を有することを特徴とする濃淡色材量分解画像処理方法。
【請求項２】
前記検出工程は、前記交差するセルが検出されない場合は、前記等色材量ラインを構成するセルと前記等濃度ラインを構成するセルとの距離が最も短いセルを検出することを特徴とする請求項１に記載の濃淡色材量分解画像処理方法。
【請求項３】
前記等濃度ラインを探索する工程とは、
濃い色材の色材量の０［％］、淡い色材の色材量の最大値［％］のセルを探索の出発点とし、淡い色材の色材量を最大値［％］から色材量が減る方向に探索を行い、目標濃度と探索中のセルの濃度について大小関係を比較して、目標濃度より探索中のセルの濃度が小さくなった場合、そのセルを等濃度ラインを構成するセルと規定する工程と、
第ｉ行のラインにおいては、第ｉ−１行のラインの等濃度のセルと同じ列から、淡い色材方向について淡い色材の色材量が減る方向に探索を行う工程と、
を有することを特徴とする請求項１または請求項２に記載の濃淡色材量分解画像処理方法。
【請求項４】
前記等色材量ラインを探索する工程とは、
濃い色材の色材量０［％］、淡い色材の色材量の最大値［％］のセルを探索の出発点とし、淡い色材の色材量を最大値［％］から色材量が減る方向に探索を行い、目標濃度と探索中のセルの濃度について大小関係を比較して、目標色材使用量より探索中のセルの色材量が小さくなった場合、そのセルを等色材量ラインを構成するセルと規定する工程と、
第ｉ行のラインにおいては、第ｉ−１行のラインの等色材量のセルと同じ列から、淡い色材方向について淡い色材の色材量が減る方向に探索を行う工程と、
を有することを特徴とする請求項１乃至請求項３のいずれか１項に記載の濃淡色材量分解画像処理方法。
【請求項５】
前記決定工程は、等濃度ラインと等色材量ラインが交差する条件として、
等濃度ラインを構成するセルと等色材量ラインを構成するセルが一致する場合、一致するセルを濃淡分解における濃い色材と淡い色材の色材量と規定する工程と、
等濃度ラインを構成するセルと等色材量ラインを構成するセルが一致しない場合、同一の水平・垂直ラインにおいて等濃度ラインを構成するセルと等色材量ラインを構成するセルの位置関係が逆転するセルを濃淡分解における濃い色材と淡い色材の色材量と規定する工程と、
を有することを特徴とする請求項１に記載の濃淡色材量分解画像処理方法。
【請求項６】
前記決定工程は、等濃度ラインと等色材量ラインが交差しない条件として、
同一の水平ラインにおいて、目標濃度を含む等濃度ラインを構成するセルと目標色材使用量を含む等色材量ラインを構成するセルとの距離を求め、最も近い距離にある目標色材使用量を含む等色材量ラインを構成するセルを濃淡分解における濃い色材と淡い色材の色材量と規定する工程と、
を有することを特徴とする請求項２に記載の濃淡色材量分解画像処理方法。
【請求項７】
前記決定工程は、等濃度ラインと等色材量ラインが交差しない条件として、
目標濃度を含む等濃度ラインを構成するセルと目標色材使用量を含む等色材量ラインを構成する全てのセルとの距離を求め、最も近い距離にある目標色材使用量を含む等色材量ラインを構成するセルを濃淡分解における濃い色材と淡い色材の色材量と規定する工程と、
を有することを特徴とする請求項２に記載の濃淡色材量分解画像処理方法。
【請求項８】
前記決定工程は、等濃度ラインと等色材量ラインが交差する条件として、
複数回にわたり交差する場合は、色材量および濃度の特性が記述されたｍ行×ｍ列のセル上で交差する全てのセルを予め求め、且つ色材による画像の粒状度の低減、光沢の均一性の向上を考慮した上で濃淡分解における濃い色材と淡い色材の色材量と規定する工程と、
を有することを特徴とする請求項１に記載の濃淡色材量分解画像処理方法。
【請求項９】
前記決定工程は、等濃度ラインと等色材量ラインが交差する条件として、
複数回にわたり交差する場合は、最初に交差したセルを濃淡分解における濃い色材と淡い色材の色材量と規定する工程と、
を有することを特徴とする請求項１に記載の濃淡色材量分解画像処理方法。
【請求項１０】
前記色材はインクであることを特徴とする請求項１に記載の濃淡色材量分解画像処理方法。
【請求項１１】
前記色材はトナーであることを特徴とする請求項１に記載の濃淡色材量分解画像処理方法。
【請求項１２】
前記濃度値は、濃度又は明度であることを特徴とする請求項１に記載の濃淡色材量分解画像処理方法。
【請求項１３】
同じ色調で濃度が淡い色材を含む濃淡２種類の色材とは、シアン、マゼンタ、イエロー、ブラックの濃い色材と、シアン、マゼンタ、イエロー、ブラックについてより濃度の薄い、淡シアン、淡マゼンタ、淡イエロー、淡ブラックを含む濃淡の色材であることを特徴とする請求項１に記載の濃淡色材量分解画像処理方法。
【請求項１４】
同じ色調で濃度が淡い色材を含む濃淡２種類の色材は、シアン、マゼンタ、イエロー、ブラックの濃い基本４色と、シアン、マゼンタについてより濃度の薄い、淡シアン、淡マゼンタを含む濃淡６色の色材であることを特徴とする請求項１に記載の濃淡色材量分解画像処理方法。
【請求項１５】
等濃度ラインを構成するセルと等色材量ラインを構成するセルが一致する場合と一致しない場合が存在する条件として、
一致するセルが１回のみの場合、その一致するセルを濃淡分解における濃い色材と淡い色材の色材量と規定する工程と、
一致するセルが２回以上の場合、第１回目に一致したセルを濃淡分解における濃い色材と淡い色材の色材量と規定する工程と、
を有することを特徴とする請求項５に記載の濃淡色材量分解画像処理方法。
【請求項１６】
コンピュータで実行されることによって、請求項１乃至１４のいずれか１項に記載された濃淡色材量分解画像処理方法を実現する濃淡色材量分解画像処理プログラム。
【請求項１７】
請求項１６に記載の濃淡色材量分解画像処理プログラムを記録した記録媒体。
【手続補正２】
【補正対象書類名】明細書
【補正対象項目名】０００７
【補正方法】変更
【補正の内容】
【０００７】
濃い色材から同じ色調で濃度が淡い色材を含む濃淡２種類の色材へ色分解する濃淡色材量分解画像処理方法において、同じ色調で濃度が異なる２種類の色材それぞれの離散的な色材量がクロス状に分布されたｎ行×ｎ列のパッチを測色して得られる前記パッチの濃度値を取得する取得工程と、前記濃度値を補間手段により補間し、ｍ行×ｍ列のセルで構成される濃度特性マップを生成する工程と、前記パッチに対応する色材量を補間手段により補間し、ｍ行×ｍ列のセルで構成される色材量特性マップを生成する工程と、前記濃度特性マップから目標濃度を含む等濃度ラインを探索する工程と、前記色材量特性マップから目標とする色材使用量である目標色材使用量を含む等色材量ラインを探索する工程と、前記濃度特性マップと前記色材量特性マップにおいて、前記等色材量ラインと前記等濃度ラインが交差するセルを検出する検出工程と、前記検出工程において、検出されたセルに基づき、濃い色材と淡い色材の色材量の組合せを決定する決定工程とを有することを特徴とする。
【手続補正３】
【補正対象書類名】明細書
【補正対象項目名】０００８
【補正方法】変更
【補正の内容】
【０００８】
本発明によれば、濃い色材から同じ色調で濃度が淡い色材を含む濃淡２種類の色材へ色分解する濃淡色材量分解画像処理方法の目標色材使用量と目標濃度の交点算出において、色材量および濃度の特性が記述されたｍ行×ｍ列のセル上で等色材量ラインと等濃度ラインが交差しない場合、等色材量ラインを構成するセルと等濃度ラインを構成するセルとの最短距離を同一水平ラインから求めることによって、近似的且つ短時間に色材量の組合せを決定することができる。